(57)【要約】【課題】  対象の動きを観察する複数回に亘る検査で得られた各Ｘ線透視映像を容易に比較可能なＸ線画像診断装置、画像処理装置、及び録画再生方法を提供する。【解決手段】  嚥下検査において、Ｘ線画像診断装置１は舌骨部７５を含む部位のＸ線透視映像を撮像する。画像処理装置２２はＸ線透視映像を取得し、録画再生プログラム５０により映像内の舌骨部７５の動きを検出する。録画再生プログラム５０は舌骨部７５の動きが検出されたフレームを特定する情報を同期再生情報としてＸ線透視映像に付加して記憶装置２３に記憶する。再生時は記憶装置２３から複数のＸ線透視映像を読込み、同期再生情報に基づいて複数のＸ線透視映像を同期再生する。【選択図】図２
2018015263.tif 000002
【特許請求の範囲】
【請求項１】
被検体にＸ線を照射するＸ線源と、
前記Ｘ線源と対向配置され前記被検体を透過した透過Ｘ線を検出するＸ線受像器と、
前記Ｘ線受像器で検出された透過Ｘ線に基づいて前記被検体のＸ線透視映像を生成する画像処理部と、
前記Ｘ線透視映像に含まれる所定部位の動きを検出する検出部と、
前記Ｘ線透視映像と、前記動きが検出されたフレームを特定する情報を同期再生情報として前記Ｘ線透視映像に付加して記憶する記憶部と、
前記記憶部から複数のＸ線透視映像を読込み、前記同期再生情報に基づいて複数のＸ線透視映像を同期再生する再生処理部と、
前記複数のＸ線透視映像を並べて表示する表示部と、
を備えることを特徴とするＸ線画像診断装置。
【請求項２】
前記検出部は、舌骨部の嚥下運動を検出することを特徴とする請求項１に記載のＸ線画像診断装置。
【請求項３】
前記検出部による動きの検出を起点として前記Ｘ線透視映像の記憶を開始することを特徴とする請求項１または請求項２に記載のＸ線画像診断装置。
【請求項４】
被検体情報を入力する入力部と、
入力された被検体情報及び関心領域の設定情報とともに前記Ｘ線透視映像を前記記憶部に記憶する付帯情報記憶部と、
入力された被検体情報に基づき前記記憶部から当該被検体のＸ線透視映像を検索し、当該Ｘ線透視映像に付帯して記憶されている関心領域の設定情報に基づき関心領域を設定する関心領域設定部と、
を備えることを特徴とする請求項１から請求項３のいずれか一項に記載のＸ線画像診断装置。
【請求項５】
Ｘ線透視映像を取得する画像取得部と、
前記Ｘ線透視映像に含まれる所定部位の動きを検出する検出部と、
前記動きが検出されたフレームを特定する情報を同期再生情報として前記Ｘ線透視映像に付加して記憶する記憶部と、
複数のＸ線透視映像を読込み、前記同期再生情報に基づいて複数のＸ線透視映像を同期再生する再生処理部と、
を備えることを特徴とする画像処理装置。
【請求項６】
Ｘ線透視映像を取得するステップと、
前記Ｘ線透視映像に含まれる所定部位の動きを検出するステップと、
前記動きが検出されたフレームを特定する情報を同期再生情報として前記Ｘ線透視映像に付加して記憶するステップと、
複数のＸ線透視映像を読込み、前記同期再生情報に基づいて複数のＸ線透視映像を同期再生するステップと、
を含むことを特徴とする録画再生方法。
【発明の詳細な説明】
【技術分野】
【０００１】
本発明は、Ｘ線画像診断装置、画像処理装置、及び録画再生方法に係り、詳細にはＸ線透視映像の録画・再生に関する。
【背景技術】
【０００２】
嚥下検査では、Ｘ線画像診断装置にて得られるＸ線透視映像を用いて嚥下運動と嚥下物の通過の観察が行われる。医師等は嚥下検査中に録画した検査映像（Ｘ線透視映像）を過去の検査映像と比較することで、嚥下トレーニングの効果の判断に利用していた。しかしながら、複数の検査映像を用いて対象の動きを比較評価するには操作者が映像を切り替える必要があり、比較が容易ではなかった。そこで、複数の検査映像を嚥下運動に合わせて比較しやすく再生するための技術が要望されている。
【０００３】
例えば特許文献１には、映像信号と、撮像手段を操作する操作者及び検査対象の、撮像中における動作・操作に関する音声信号と、を用いて動画ファイルを作成する際に、音声信号強度が所定の閾値以上であるか否かを監視し閾値を超えた時刻を基に動画の記録と再生を行う画像診断装置について記載されている。これにより音声信号を用いて術者や検査対象の動作タイミングを知ることが可能となり、所望の動作タイミングにおける動画の検索を容易にしている。
【先行技術文献】
【特許文献】
【０００４】
【特許文献１】特開２０１２−２１７６３２号公報
【発明の概要】
【発明が解決しようとする課題】
【０００５】
しかしながら、特許文献１には、複数の検査映像を比較しやすく再生する点について開示されていない。そのため、複数の検査映像を比較するには、表示を切り替える操作を行う必要があり、比較が容易でないという問題があった。
【０００６】
本発明は、前述した問題点に鑑みてなされたものであり、その目的とすることは、対象の動きを観察する複数回に亘る検査で得られた各Ｘ線透視映像を容易に比較可能なＸ線画像診断装置、画像処理装置、及び録画再生方法を提供することである。
【課題を解決するための手段】
【０００７】
前述した目的を達成するために第１の発明は、被検体にＸ線を照射するＸ線源と、前記Ｘ線源と対向配置され前記被検体を透過した透過Ｘ線を検出するＸ線受像器と、前記Ｘ線受像器で検出された透過Ｘ線に基づいて前記被検体のＸ線透視映像を生成する画像処理部と、前記Ｘ線透視映像に含まれる所定部位の動きを検出する検出部と、前記Ｘ線透視映像と、前記動きが検出されたフレームを特定する情報を同期再生情報として前記Ｘ線透視映像に付加して記憶する記憶部と、前記記憶部から複数のＸ線透視映像を読込み、前記同期再生情報に基づいて複数のＸ線透視映像を同期再生する再生処理部と、前記複数のＸ線透視映像を並べて表示する表示部と、を備えることを特徴とするＸ線画像診断装置である。
【０００８】
第２の発明は、Ｘ線透視映像を取得する画像取得部と、前記Ｘ線透視映像に含まれる所定部位の動きを検出する検出部と、前記動きが検出されたフレームを特定する情報を同期再生情報として前記Ｘ線透視映像に付加して記憶する記憶部と、複数のＸ線透視映像を読込み、前記同期再生情報に基づいて複数のＸ線透視映像を同期再生する再生処理部と、を備えることを特徴とする画像処理装置である。
【０００９】
第３の発明は、Ｘ線透視映像を取得するステップと、前記Ｘ線透視映像に含まれる所定部位の動きを検出するステップと、前記動きが検出されたフレームを特定する情報を同期再生情報として前記Ｘ線透視映像に付加して記憶するステップと、複数のＸ線透視映像を読込み、前記同期再生情報に基づいて複数のＸ線透視映像を同期再生するステップと、を含むことを特徴とする録画再生方法である。
【発明の効果】
【００１０】
本発明により、対象の動きを観察する複数回に亘る検査で得られた各Ｘ線透視映像を容易に比較可能なＸ線画像診断装置、画像処理装置、及び録画再生方法を提供できる。
【図面の簡単な説明】
【００１１】
【図１】本発明に係るＸ線画像診断装置１の構成図
【図２】Ｘ線透視映像の録画・再生機能に関する構成図
【図３】嚥下運動を撮像したＸ線透視映像７１、７２の表示例
【図４】第１の実施の形態の録画処理の流れを示すフローチャート
【図５】再生処理の流れを示すフローチャート
【図６】第２の実施の形態の録画処理の流れを示すフローチャート
【図７】第３の実施の形態の録画・再生機能に関する構成図
【図８】第３の実施の形態の録画処理の流れを示すフローチャート
【発明を実施するための形態】
【００１２】
以下、添付図面を参照しながら、本発明の好適な実施形態について詳細に説明する。
【００１３】
［第１の実施形態］
まず、図１を参照して本発明に係るＸ線画像診断装置１の全体構成について説明する。Ｘ線画像診断装置１は、被検体３のＸ線透視映像を撮影、生成する装置である。Ｘ線透視映像とは、被検体３にＸ線を連続的に照射し、被検体３を透過したＸ線量を検出することにより得られるＸ線画像の動画像である。
【００１４】
図１に示すように、Ｘ線画像診断装置１は、撮影装置１０及び操作装置２０を備える。撮影装置１０と操作装置２０とは通信ケーブル等の伝送路を用いて通信接続される。
【００１５】
撮影装置１０は、Ｘ線源１２、Ｘ線絞り１３、及びＸ線受像器１６等を備える。Ｘ線受像器１６はＸ線源１２に被検体３を介して対向配置される。なお、図１の撮影装置１０は被検体３を載置する天板１５の上方からＸ線を照射する「臥位」の状態を示している。嚥下検査は通常、立位（座位）で撮影が行われる。そのため、本実施形態では、天板１５を垂直に立て被検体３の側面からＸ線の照射が行われるものとする。Ｘ線受像器１６において検出した透過Ｘ線データに基づく画像データは伝送路を介して操作装置２０に送信される。操作装置２０は、制御装置２１、画像処理装置２２、記憶装置２３、入力装置２４、及び表示装置２５等を備える。
【００１６】
Ｘ線源１２は、Ｘ線管及び高電圧発生装置を備え、制御装置２１から送信される制御信号に従って所定の線量のＸ線を発生させる。Ｘ線源１２は、透視映像取得時において透視用の線量のＸ線を連続的に照射する。
【００１７】
Ｘ線源１２にはＸ線絞り１３が設けられる。Ｘ線絞り１３は複数のＸ線遮蔽板（絞り羽根）を有し、制御装置２１から通知される絞り羽根の開度情報に従って、絞り羽根を所定の位置まで開閉させて所望の形状のＸ線照射野を形成する。
【００１８】
Ｘ線受像器１６は、例えばシンチレータとフォトダイオードの組み合わせによって構成されるＸ線検出素子を２次元配列したフラットパネルディテクタ（ＦＰＤ）やＩ．Ｉ．（image intensifier）等であり、被検体３を介してＸ線源１２に対向する位置に設けられる。
【００１９】
Ｘ線受像器１６の各検出素子は、Ｘ線源１２から照射され被検体３を透過したＸ線である透過Ｘ線を検出し、そのＸ線強度に応じた電気信号に変換し、画像処理装置２２へ送出する。
【００２０】
画像処理装置２２は、Ｘ線受像器１６から転送された電気信号を取得し、ガンマ変換、階調変換処理、画像の拡大・縮小処理等を行って表示装置２５に表示可能なＸ線画像を生成する。作成されるＸ線画像は、例えば透視用のＸ線を用いて取得されたＸ線透視映像等である。Ｘ線透視映像は複数フレームのＸ線画像から成る動画像である。作成されたＸ線画像（Ｘ線透視映像）は記憶装置２３に記憶される。
【００２１】
記憶装置２３は、Ｘ線受像器１６により検出された透過Ｘ線データに基づいて生成されたＸ線画像（Ｘ線透視映像等）を記憶する。また記憶装置２３には、撮影や透視動作に関するプログラムや各種撮影条件、及び後述する録画処理や再生処理に必要なプログラム及びデータ等が記憶されている。
【００２２】
制御装置２１は、ＣＰＵ（Central Processing Unit）、ＲＯＭ（Read Only Memory）、ＲＡＭ（Random Access Memory）等により構成されるコンピュータである。制御装置２１は、入力装置２４から入力された入力信号に基づいてＸ線源１２におけるＸ線照射の動作制御を行ったり、Ｘ線受像器１６におけるＸ線の検出、画像処理装置２２におけるＸ線透視映像の作成、表示装置２５への表示等の動作制御を行う。
【００２３】
表示装置２５は、ＣＲＴや液晶パネル等により構成され、撮影装置１０により撮影されたＸ線画像や制御装置２１から入力される表示データ等を表示する。
【００２４】
入力装置２４は、例えば、キーボードやマウス等の入力装置であり、操作者によって入力される各種の指示や情報を制御装置２１に入力する。操作者は、表示装置２５及び入力装置２４を使用して対話的に操作を行う。なお、入力装置２４は、表示装置２５の表示画面と一体的に構成されたタッチパネル等としてもよい。
【００２５】
次に、図２を参照して、Ｘ線透視映像の録画・再生機能に関する構成を説明する。Ｘ線画像診断装置１の画像処理装置２２は、映像信号処理部４１、メモリ４２、及び録画再生プログラム５０を備え、録画再生プログラム５０に従った処理を実行する。
【００２６】
映像信号処理部４１は、Ｘ線受像器１６から透過Ｘ線の強度に応じた電気信号を取得し、Ｘ線透視映像を生成する。生成されたＸ線透視映像は、録画再生プログラム５０の動き検出部５１により所定の部位の動きが解析される。
【００２７】
録画再生プログラム５０は映像信号処理部４１が処理した映像について録画及び再生を行うためのユーザインターフェースである。録画再生プログラム５０は、動き検出部５１、同期再生情報記憶部５２、再生処理部５３、及び表示制御部５４を備える。
【００２８】
録画再生プログラム５０の動き検出部５１は、映像信号処理部４１からＸ線透視映像を取得しＸ線透視映像内の所定の部位の動きを監視して当該部位の動きの有無を検出する。動きを検出する部位は、入力装置２４から操作者によってあらかじめ設定された関心領域内の部位とする。例えば、嚥下運動を観察するためには対象部位を舌骨部７５とする。動き検出部５１はＸ線透視映像から頭部、顎部を検出し、舌骨部７５の位置に所定サイズの関心領域を設定する。動き検出部５１は、例えば、舌骨部７５が関心領域からはみ出すような動きがある場合に「動きあり」と判定する。また、動きの検出は、関心領域内の画素値の重心位置を監視するようにし、画素値の重心位置の移動量が所定値よりも大きい場合に「動きあり」と判定してもよい。
【００２９】
同期再生情報記憶部５２は、動き検出部５１により対象部位の動きが検出されたフレームのうち動きを開始したフレームを特定する情報を生成し、同期再生情報としてＸ線透視映像に付加して記憶する。具体的には、同期再生情報は所定の部位に動きが検出された最初の時刻（動きを開始した時刻）とその時刻におけるフレーム番号とする。同期再生情報記憶部５２は、同期再生情報が付加されたＸ線透視映像を記憶装置２３に記憶する。
【００３０】
再生処理部５３は、記憶装置２３から複数のＸ線透視映像を読込み、Ｘ線透視映像に付加されている同期再生情報に基づいて読み込んだ複数のＸ線透視映像を同期再生する。同期再生の詳細については後述する。
【００３１】
表示制御部５４は、再生処理部５３により同期再生される複数のＸ線透視映像を表示装置２５の表示画面に表示する。例えば、図３に示すように、複数回に亘って行われた嚥下検査の各Ｘ線透視映像７１、７２をそれぞれ表示装置２５の表示画面に並べて表示する。図３では、１つの表示装置２５の画面を２つの表示領域に分け、各表示領域にそれぞれ嚥下検査のＸ線透視映像７１、７２を表示した様子を示している。なお、表示の仕方は図３の例に限定されず、３つ以上のＸ線透視映像を並べて表示してもよい。また、１画面内に複数の映像を表示するのではなく複数の表示装置にそれぞれＸ線透視映像７１、７２、…を表示してもよい。
【００３２】
次に、図４のフローチャートを参照して録画処理の手順を説明する。
画像処理装置２２の録画再生プログラム５０は、検査の開始（映像の収集の開始）を監視する（ステップＳ１０１）。Ｘ線画像診断装置１から検査の開始情報が通知されると、画像処理装置２２は入力されたＸ線透視映像の収集を開始する（ステップＳ１０２）。
【００３３】
Ｘ線透視映像の収集が開始されると、録画再生プログラム５０は、収集している映像を解析し、特徴量から頭部・顎部を検出する。そして動きを検出する対象部位に関心領域を設定する（ステップＳ１０３）。なお、ステップＳ１０３において、録画再生プログラム５０は操作者が手動で関心領域を設定するための設定画面を表示し、操作者による関心領域の設定を受け付けてもよい。
【００３４】
次に画像処理装置２２の録画再生プログラム５０は、操作者による録画開始指示の入力を受け付ける（ステップＳ１０４）。録画開始指示に応答して、画像処理装置２２の映像信号処理部４１は入力映像の録画を開始する（ステップＳ１０５）。
【００３５】
録画再生プログラム５０は、ステップＳ１０３で設定された関心領域内の舌骨部７５の動きを監視する（ステップＳ１０６）。録画再生プログラム５０は、舌骨部７５の移動量が予め設定されている閾値を超えるか否かを判定することにより、舌骨部７５に嚥下の動きがあるか否かを判定する（ステップＳ１０７）。関心領域内の移動量が閾値を超えた場合（ステップＳ１０７；Ｙｅｓ）、同期再生情報として時刻とフレーム番号を当該映像の付帯情報として生成する（ステップＳ１０８）。収集している映像から動画データが生成される（ステップＳ１０９）。録画の終了指示が入力されるまで（ステップＳ１１０；Ｎｏ）、ステップＳ１０６〜ステップＳ１０９の処理が行われる。録画の終了指示が入力されると（ステップＳ１１０；Ｙｅｓ）、画像処理装置２２は録画を終了する（ステップＳ１１１）。録画の終了に合わせて、Ｘ線透視映像の動画データが同期再生情報と関連付けられて動画ファイルとして記憶装置２３に出力、記憶される（ステップＳ１１２）。
【００３６】
次に、図５を参照して再生処理について説明する。
検査終了後、記憶装置２３に保存された複数の検査の動画ファイルが操作者により選択されると（ステップＳ２０１）、画像処理装置２２の録画再生プログラム５０は選択された動画ファイルに関連付けられた同期再生情報を読み出して動画ファイル内の同期再生開始位置を検索する（ステップＳ２０２）。録画再生プログラム５０は、選択された複数の動画ファイルのうち、動画の先頭位置から同期再生開始位置までが長い方の動画ファイルを先に再生開始する（ステップＳ２０３）。この時点では、もう一方の動画ファイルの再生は開始しない。録画再生プログラム５０は、先に再生を開始した動画ファイルの同期再生開始位置と、再生を待機している動画ファイルの同期再生開始位置とが同じタイミングで再生されるように監視する（ステップＳ２０４）。待機時間が経過し、同じタイミングで再生される時刻に到達すると、再生を待機している動画ファイルの再生も開始する（ステップＳ２０５）。
【００３７】
録画再生プログラム５０は、操作者による再生停止指示の有無を監視する（ステップＳ２０６、ステップＳ２０７）。いずれか一方の動画ファイルの再生が停止された場合は（ステップＳ２０６；Ｙｅｓ、ステップＳ２０７；Ｙｅｓ）、再生中の全ての動画ファイルの再生を同時に停止する（ステップＳ２０８、ステップＳ２０９）。
【００３８】
これにより、嚥下運動開始時を起点として、複数の動画データ（Ｘ線透視映像）を同期させて再生することが可能となる。したがって複数回に渡る嚥下検査の動画同士を動きに基づいて容易に同期させて再生することが可能となり、嚥下運動のトレーニング効果を比較しやすくなる。
【００３９】
［第２の実施の形態］
上述の第１の実施の形態では、嚥下検査においてＸ線透視映像の収集を開始し、操作者により録画開始指示が入力されたタイミングで録画を開始する手順について説明した。
第２の実施の形態では、操作者により録画開始指示が入力されたタイミングでＸ線透視映像の録画を開始するのではなく、Ｘ線透視映像において関心領域（対象部位）の動きが検出されたタイミングを起点として画像処理装置２２（録画再生プログラム５０）がＸ線透視映像の録画を開始する手順について説明する。
【００４０】
図６は第２の実施の形態の録画処理を示すフローチャートである。
まず、第１の実施の形態と同様に、画像処理装置２２の録画再生プログラム５０は、検査の開始（映像の収集の開始）を監視する（ステップＳ３０１）。Ｘ線画像診断装置１から検査の開始情報が通知されると、画像処理装置２２は入力されたＸ線透視映像の収集を開始する（ステップＳ３０２）。Ｘ線透視映像の収集が開始されると、録画再生プログラム５０は、収集している映像を解析し、特徴量から頭部・顎部を検出する。そして動きを検出する対象部位に関心領域を設定する（ステップＳ３０３）。なお、ステップＳ３０３において、録画再生プログラム５０は操作者が手動で関心領域を設定するための設定画面を表示し、操作者による関心領域の設定を受け付けてもよい。
【００４１】
関心領域を設定後、録画再生プログラム５０は収集している映像が録画中であるか否かを確認する（ステップＳ３０４、ステップＳ３０５）。ステップＳ３０４において録画が開始されていると判定した場合は（ステップＳ３０４；Ｙｅｓ）、第１の実施の形態と同様に、録画再生プログラム５０は、ステップＳ３０３で設定された関心領域内の舌骨部７５の動きを監視する（ステップＳ３０６）。録画再生プログラム５０は、舌骨部７５の移動量が予め設定されている閾値を超えるか否かを判定することにより、舌骨部７５に嚥下の動きがあるか否かを判定する（ステップＳ３０７）。関心領域内の移動量が閾値を超えた場合（ステップＳ３０７；Ｙｒｓ）、同期再生情報として時刻とフレーム番号を当該映像の付帯情報として生成する（ステップＳ３０８）。収集している映像から動画データが生成される（ステップＳ３０９）。録画の終了指示が入力されるまで（ステップＳ３１０；Ｙｅｓ）、ステップＳ３０６〜ステップＳ３０９の処理が行われる。録画の終了指示が入力されると（ステップＳ３１０；Ｙｅｓ）、画像処理装置２２は録画を終了する（ステップＳ３１１）。録画の終了に合わせて、Ｘ線透視映像の動画データが同期再生情報と関連付けられて動画ファイルとして記憶装置２３に出力、記憶される（ステップＳ３１２）。
【００４２】
一方、ステップＳ３０４において、録画が開始されていないと判定された場合は（ステップＳ３０４；Ｎｏ）、録画再生プログラム５０は関心領域内の部位（舌骨部７５）の動きを監視する（ステップＳ３１３）。関心領域内の部位（舌骨部７５）の移動量が予め設定されている閾値を超えた場合（ステップＳ３１４；Ｙｅｓ）、録画再生プログラム５０は収集中の映像の録画を開始する（ステップＳ３１５）。また、録画の開始と同時に同期再生情報を生成する（ステップＳ３０８）。同期再生情報は、ステップＳ３１４で関心領域の動きを検出した時刻の情報とそのときのフレーム番号である。収集している映像は動画データとして生成され（ステップＳ３０９）、録画の終了指示が行われると（ステップＳ３１０；Ｙｅｓ）、画像処理装置２２は録画を終了する（ステップＳ３１１）。録画の終了に合わせて、Ｘ線透視映像の動画データが同期再生情報と関連付けられて動画ファイルとして記憶装置２３に出力、記憶される（ステップＳ３１２）。
【００４３】
なお、ステップＳ３１５において、上述したように録画の開始は、関心領域内の部位の動きを検出した時としてもよいし、マージンとして、動き検出時から予め設定された時間分遡った時から録画してもよい。動き検出時から予め設定された時間分遡った時刻から動き検出時までの映像はメモリ４２に保持されているものとする。
【００４４】
第２の実施の形態によれば、画像処理装置２２による関心領域内の部位の動きの検出を起点として録画の開始タイミングを決定するため、動きが検出されるより前に収集した映像の録画を省くことが可能となる。これにより、動画のデータ量を削減でき、データ可搬性が向上する。また画像処理装置２２におけるデータ運用効率を向上できる。
【００４５】
［第３の実施の形態］
次に、第３の実施の形態について図７を参照して説明する。第１及び第２の実施の形態と異なる点は、Ｘ線画像診断装置１から入力された検査情報をもとに、画像処理装置２２が関心領域の設定を行う点である。
【００４６】
第３の実施の形態において録画再生プログラム５０ａは、第１の実施の形態の構成（動き検出部５１、同期再生情報記憶部５２、再生処理部５３、表示制御部５４）に加え、被検体情報入力部５５、付帯情報記憶部５６、及び関心領域設定部５７を更に備える。
【００４７】
被検体情報入力部５５は、被検体の氏名、被検体識別情報（診察券番号等のＩＤ）、検査識別情報等の被検体情報を入力する。
付帯情報記憶部５６は、Ｘ線透視映像の付帯情報として、被検体情報入力部５５により入力された被検体情報、及び当該Ｘ線透視映像に設定された関心領域の設定情報を付加し、記憶装置２３に記憶する。関心領域の設定情報は、例えば映像内から検出した頭部、顎部と関心領域との位置関係を表す情報である。
【００４８】
関心領域設定部５７は、被検体情報入力部５５により入力された被検体情報に基づき記憶装置２３から当該被検体の過去のＸ線透視映像を検索し、検索の結果得たＸ線透視映像に付帯して記憶されている関心領域の設定情報に基づき、収集中のＸ線透視映像に関心領域を設定する。例えば、過去に収集されたＸ線透視映像に設定された関心領域と同一の位置に関心領域を設定する。
【００４９】
図８を参照して、第３の実施の形態の録画処理を説明する。
録画再生プログラム５０ａは、検査開始指示により映像の収集を開始する（ステップＳ４０１）。その後、入力装置２４を介して検査情報（被検体情報を含む）が入力されたか否かを確認する（ステップＳ４０２）。検査情報が入力されると（ステップＳ４０２；Ｙｅｓ）には、記憶装置２３に記憶された過去の検査情報からステップＳ４０２にて入力された検査情報に該当する被検体の検査情報が存在するかを検索する（ステップＳ４０３）。検査情報が見つかった場合（ステップＳ４０３；Ｙｅｓ）、過去の検査時に設定された関心領域の位置と特徴量のデータと、現在の検査情報(検出器サイズ、Ｘ線管球からＸ線受像器までの距離)と検出した特徴量のデータとを比較して、現在収集しているＸ線透視映像内に前回の検査で設定された関心領域と同一の領域を検出して、関心領域を設定する（ステップＳ４０４）。
【００５０】
ステップＳ４０３において同一被検体についての過去の検査情報が見つからなかった場合は（ステップＳ４０３；Ｎｏ）、第１及び第２の実施の形態と同様に、操作者が映像を参照しながら関心領域を設定する（ステップＳ４０５）。
【００５１】
関心領域が設定されると、第１の実施の形態の録画処理のステップＳ１０４（図４参照）または第２の実施の形態の録画処理のステップＳ３０４（図６参照）へ移行する。以降、第１または第２の実施の形態と同様に、録画処理を実行する。
【００５２】
第３の実施の形態によれば、同一の被検体について複数回にわたって検査が行われた場合、過去の検査で設定された関心領域の設定情報を参照して画像処理装置２２が自動的に関心領域を検出・設定する。そのため、検査毎に関心領域を設定するという作業工程を省くことが可能となる。また、各検査で同じ位置（対象部位）に関心領域が設定されるため再生時の比較が容易となる。
【００５３】
以上、各実施形態において、本発明の好適なＸ線画像診断装置等について説明したが、本発明は上述の実施形態に限定されるものではない。当業者であれば、本願で開示した技術的思想の範疇内において、各種の変更例または修正例に想到し得ることは明らかであり、それらについても当然に本発明の技術的範囲に属するものと了解される。
【符号の説明】
【００５４】
１・・・・・Ｘ線画像診断装置
１０・・・・撮影装置
１２・・・・Ｘ線源
１３・・・・Ｘ線絞り
１５・・・・天板
１６・・・・Ｘ線受像器
２０・・・・操作装置
２１・・・・制御装置
２２・・・・画像処理装置
２３・・・・記憶装置
２４・・・・入力装置
２５・・・・表示装置
３・・・・・被検体
４１・・・・映像信号処理部
４２・・・・メモリ
５０、５０ａ・・・・録画再生プログラム
５１・・・・動き検出部
５２・・・・同期再生情報記憶部
５３・・・・再生処理部
５４・・・・表示制御部
５５・・・・被検体情報入力部
５６・・・・付帯情報記憶部
５７・・・・関心領域設定部
７１、７２・・・・Ｘ線透視映像
７５・・・・舌骨部
【図１】
2018015263.tif 000003
【図２】
2018015263.tif 000004
【図３】
2018015263.tif 000005
【図４】
2018015263.tif 000006
【図５】
2018015263.tif 000007
【図６】
2018015263.tif 000008
【図７】
2018015263.tif 000009
【図８】
2018015263.tif 000010